(57)【要約】【課題】製造コスト及びランニングコストを減らすことができる小型の便器装置を提供する。【解決手段】水洗式の便器本体２と、ロータンク３とを有する便器装置である。該便器装置１に便器本体２内部に向かって開口する吸込口４ａを設ける。便器装置１にロータンク３上部付近に位置すると共に便器本体２使用者側に向かって開口する吐出口５ａとを設ける。便器装置１にこの吸込口４ａと吐出口５ａとを連通接続する送風流路部６ａを設ける。該送風流路部６ａに便器本体２内部の空気を吸込口４ａより送風流路部６ａ内に吸い込むと共に吸い込んだ空気を吐出口５ａから吐出する送風手段７を設ける。【選択図】　　　　図１
2004027636.tif 000002
【特許請求の範囲】
【請求項１】
水洗式の便器本体と、ロータンクとを有する便器装置において、該便器装置に便器本体内部に向かって開口する吸込口と、ロータンク上部付近に位置すると共に便器本体使用者側に向かって開口する吐出口と、この吸込口と吐出口とを連通接続する送風流路部とを設け、該送風流路部に便器本体内部の空気を吸込口より送風流路部内に吸い込むと共に吸い込んだ空気を吐出口から吐出する送風手段を設けて成ることを特徴とする便器装置。
【請求項２】
上記送風流路部に送風流路部内の空気の脱臭を行う脱臭部を設けて成ることを特徴とする請求項１記載の便器装置。
【請求項３】
水洗式の便器本体と、ロータンクとを有する便器装置において、該便器装置に便器本体外部に開口する吸込口と、ロータンク上部付近に位置すると共に便器本体使用者側に向かって開口する吐出口と、吸込口と吐出口とを連通接続する送風流路部とを設け、該送風流路部に便器本体内部の空気を吸込口より送風流路部内に吸い込むと共に吸い込んだ空気を吐出口から吐出する送風手段と、送風流路部内の空気を加熱する加熱手段とを設け、この便器装置に使用者側以外の方向に開口する暖房用排気口と、送風流路部の加熱手段及び送風手段よりも下流側と暖房用排気口とを連通接続する暖房用流路部とを設け、暖房用流路部と送風流路部との分岐点に吸込口から吸い込んだ空気を吐出口側への流れと暖房用排気口側への流れとに切換えるための暖房用風向き切換え手段を設け、便器装置に加熱手段のＯＮ／ＯＦＦを切換えると共に暖房用風向き切換え手段による風向きを切換える制御部を設け、該制御部にて吸込口から吸い込んだ空気を暖房用風向き切換え手段により吐出口側への流れにすると共に加熱手段をＯＦＦにした送風と、吸込口から吸い込んだ空気を暖房用風向き切換え手段により暖房用排気口側への流れにすると共に加熱手段をＯＮにした送風とを切換えられるようにしたことを特徴とする便器装置。
【請求項４】
水洗式の便器本体と、ロータンクとを有する便器装置において、該便器装置に便器本体内部に開口する主吸込口と、便器本体外部に開口する副吸込口と、ロータンク上部付近に位置すると共に便器本体使用者側に向かって開口する主吐出口及び主吐出口と異なる副吐出口と、主吸込口と主吐出口とを連通接続する主送風流路部と、副吸込口と副吐出口とを連通接続する副送風流路部とを設け、主送風流路部に便器本体内部の空気を主吸込口より主送風流路部内に吸い込むと共に吸い込んだ空気を主吐出口から吐出する主送風手段と、主送風流路部内の空気の脱臭を行う脱臭部とを設け、副送風流路部に便器本体内部の空気を副吸込口より副送風流路部内に吸い込むと共に吸い込んだ空気を副吐出口から吐出する副送風手段と、副送風流路部内の空気を加熱する加熱手段とを設け、便器装置に使用者側以外の方向に開口する暖房用排気口と、副送風流路部の加熱手段及び副送風手段よりも下流側と暖房用排気口とを連通接続する暖房用流路部とを設け、暖房用流路部と副送風流路部との分岐点に副吸込口から吸い込んだ空気を副吐出口側への流れと暖房用排気口側への流れとに切換えるための暖房用風向き切換え手段を設け、便器装置に加熱手段のＯＮ／ＯＦＦを切換えると共に暖房用風向き切換え手段による風向きを切換える制御部を設け、該制御部にて副吸込口から吸い込んだ空気を暖房用風向き切換え手段により副吐出口側への流れにすると共に加熱手段をＯＦＦにした送風と、副吸込口から吸い込んだ空気を暖房用風向き切換え手段により暖房用排気口側への流れにすると共に加熱手段をＯＮにした送風とを切換えられるようにしたことを特徴とする便器装置。
【請求項５】
水洗式の便器本体と、ロータンクとを有する便器装置において、該便器装置に便器本体内部に開口する主吸込口と、便器本体外部に開口する副吸込口と、ロータンク上部付近に位置すると共に便器本体使用者側に向かって開口する吐出口と、主吸込口と吐出口とを連通接続する主送風流路部とを設け、主送風流路部に便器本体内部の空気を主吸込口より主送風流路部内に吸い込むと共に吸い込んだ空気を吐出口から吐出する主送風手段と、主送風流路部内の空気の脱臭を行う脱臭部とを設け、また便器装置に副吸込口と主送風流路部の脱臭部よりも下流側とを連通接続する副送風流路部を設け、副送風流路部に便器本体内部の空気を副吸込口より副送風流路部内に吸い込むと共に吸い込んだ空気を吐出口から吐出する副送風手段と、副送風流路部内の空気を加熱する加熱手段とを設け、便器装置に使用者側以外の方向に開口する暖房用排気口と、副送風流路部の加熱手段及び副送風手段よりも下流側と暖房用排気口とを連通接続する暖房用流路部とを設け、暖房用流路部と副送風流路部との分岐点に副吸込口から吸い込んだ空気を吐出口側への流れと暖房用排気口側への流れとに切換えるための暖房用風向き切換え手段を設け、便器装置に加熱手段のＯＮ／ＯＦＦを切換えると共に暖房用風向き切換え手段による風向きを切換える制御部を設け、該制御部にて副吸込口から吸い込んだ空気を暖房用風向き切換え手段により吐出口側への流れにすると共に加熱手段をＯＦＦにした送風と、副吸込口から吸い込んだ空気を暖房用風向き切換え手段により暖房用排気口側への流れにすると共に加熱手段をＯＮにした送風とを切換えられるようにしたことを特徴とする便器装置。
【請求項６】
水洗式の便器本体と、ロータンクとを有する便器装置において、該便器装置に便器本体内部に開口する吸込口と、ロータンクの上部付近に位置すると共に便器本体使用者側に向かって開口する主吐出口及び主吐出口と異なる副吐出口と、吸込口と主吐出口とを連通接続する主送風流路部とを設け、主送風流路部に便器本体内部の空気を吸込口より主送風流路部内に吸い込むと共に吸い込んだ空気を主吐出口から吐出する主送風手段と、主送風流路部内の空気の脱臭を行う脱臭部とを設け、また便器装置に副吐出口と主送風流路部の脱臭部よりも上流側とを連通接続する副送風流路部を設け、副送風流路部に便器本体内部の空気を吸込口より副送風流路部内に吸い込むと共に吸い込んだ空気を副吐出口から吐出する副送風手段と、副送風流路部内の空気を加熱する加熱手段とを設け、便器装置に使用者側以外の方向に開口する暖房用排気口と、副送風流路部の加熱手段及び副送風手段よりも下流側と暖房用排気口とを連通接続する暖房用流路部とを設け、暖房用流路部と副送風流路部との分岐点に副吸込口から吸い込んだ空気を吐出口側への流れと暖房用排気口側への流れとに切換えるための暖房用風向き切換え手段を設け、便器装置に加熱手段のＯＮ／ＯＦＦを切換えると共に暖房用風向き切換え手段による風向きを切換える制御部とを設け、該制御部にて吸込口から吸い込んだ空気を暖房用風向き切換え手段により副吐出口側への流れにすると共に加熱手段をＯＦＦにした送風と、吸込口から吸い込んだ空気を暖房用風向き切換え手段により暖房用排気口側への流れにすると共に加熱手段をＯＮにした送風とを切換えられるようにしたことを特徴とする便器装置。
【請求項７】
上記便器装置に吐出口とは異なるロータンク上部付近に位置すると共に便器本体使用者側に向かって開口する１つ以上の分岐口と、該分岐口と送風流路部の送風手段よりも下流側とを連通接続する分岐流路部と、吐出口と分岐口の夫々の開閉を行う開閉手段とを設けて成ることを特徴とする請求項１〜６記載の便器装置。
【請求項８】
上記便器装置に便器本体使用者側以外の方向に向かって開口する脱臭用排気口と、脱臭用排気口と脱臭部を備えた送風流路部の脱臭部よりも下流側とを連通接続する脱臭用流路部とを設け、この脱臭部を備えた送風流路部と脱臭用流路部との分岐点に吸込口から吸い込んだ空気を吐出口側への流れと脱臭用排気口側への流れとに切換える脱臭用風向き切換え手段を設けて成ることを特徴とする請求項２及び４〜７のいずれかに記載の便器装置。
【請求項９】
ロータンク内部の水と送風流路部内の空気とが送風流路部外面を介して熱交換を行うように送風流路部を配設して成ることを特徴とする請求項１〜８のいずれかに記載の便器装置。
【請求項１０】
上記送風流路部を送風流路部の外面がロータンクの外面に接するように配設して成ることを特徴とする請求項９記載の便器装置。
【請求項１１】
上記ロータンクを水を貯えるための貯水タンク部と貯水タンク部外面を覆うカバーとで構成し、送風流路部を該カバーと貯水タンク部外面との間に配設すると共に送風流路部の外面と貯水タンク部の外面とが接するように形成して成ることを特徴とする請求項１０載の便器装置。
【請求項１２】
上記送風流路部をロータンク内部を通るように配設して成ることを特徴とする請求項９記載の便器装置。
【請求項１３】
上記送風流路部外面にロータンク内部に位置すると共にロータンク内部の水と接する放熱板を設けて成ることを特徴とする請求項１２記載の便器装置。
【請求項１４】
便器装置にロータンクとロータンクに水を供給する給水源とを連通接続する給水路部を設け、送風流路部を送風流路部の外面と給水路部の外面とが接するように配設してなることを特徴とする請求項１〜８のいずれかに記載の便器装置。
【請求項１５】
上記送風流路部を給水路部に螺旋状に巻きつけて成ることを特徴とする請求項１４記載の便器装置。
【発明の詳細な説明】
【０００１】
【発明の属する技術分野】
本発明は、水洗式の便器と、ロータンクとを有する便器装置に関するものであって、詳しくは便器本体使用者に対して送風を行う機能を備えた便器装置に関するものである。
【０００２】
【従来の技術】
従来から水洗式の便器本体と、ロータンクとを有する便器装置に便器本体使用者に対して冷たい風を送る冷風機能を備えた便器装置が知られている。この便器装置は熱交換器と、熱交換器により冷やされた空気を便器本体使用者に送る送風手段とを備えており、これによって便器本体使用者へ冷風を送っていた。
【０００３】
しかしながら、上記の便器装置は熱交換器を設けているために便器装置が大型化しトイレルームのスペースが狭くなってしまう、製造コストがかかってしまう、熱交換器は電力消費が激しくランニングコストがかかってしまうという問題が生じてしまう。
【０００４】
また上記とは別に便器本体使用者の局部を洗浄するための局部洗浄手段と、便器本体内部の臭気の強い空気を脱臭するための脱臭装置と、トイレルームの暖房を行う暖房装置を備えた局部洗浄装置が知られている。この局部洗浄装置の脱臭装置は便器本体内部に開口する脱臭用吸気口と、便器本体外部の使用者側以外の方向に開口する脱臭用排気口と、この脱臭用吸気口と脱臭用排気口とを連通接続する脱臭用流路部と、脱臭用流路部に設けられた脱臭用フィルタ及び脱臭用ファンとで構成され、また暖房装置は便器本体外部に開口する暖房用吸気口及び暖房用排気口と、暖房用吸気口と暖房用排気口とを連通接続する暖房用流路部と、暖房用流路部に設けられた暖房用ファン及び暖房用フィルタ及びヒータとで構成されている。上記構成により、脱臭用ファンを回転させることで、便器本体内部の空気を脱臭用吸気口から脱臭用流路部内に吸い込み、この吸い込んだ空気を脱臭用フィルタで脱臭した後、脱臭用排気口から排気し、これによってトイレルーム内の空気を清浄化し、また暖房用ファンを回転させることで、便器本体外部の空気を暖房用吸気口から暖房用流路部内に吸い込み、この吸い込んだ空気の塵や埃を暖房用フィルタで除去し、この空気をヒータで加熱した後、暖房用排気口から排気し、これによってトイレルームの暖房を行っていた。
【０００５】
ところでこのような脱臭装置や暖房装置を備えた局部洗浄装置に冷風機能や送風機能を備えようとした場合、脱臭装置や暖房装置に加えて、新たに熱交換器や送風手段を設けなければならず、装置が大型化してしまい、また製造コストも高くなってしまっていた。
【０００６】
【発明が解決しようとする課題】
本発明は上記の点に鑑みてなされたものであり、その目的とするところは、送風もしくは冷風機能を備え、尚且つコストがかからず、小型の便器装置を提供することを課題とするものである。
【０００７】
【課題を解決するための手段】
上記課題を解決するために本発明に係る便器装置は、水洗式の便器本体２と、ロータンク３とを有する便器装置１において、該便器装置１に便器本体２内部に向かって開口する吸込口４ａと、ロータンク３上部付近に位置すると共に便器本体２使用者側に向かって開口する吐出口５ａと、この吸込口４ａと吐出口５ａとを連通接続する送風流路部６ａとを設け、該送風流路部６ａに便器本体２内部の空気を吸込口４ａより送風流路部６ａ内に吸い込むと共に吸い込んだ空気を吐出口５ａから吐出する送風手段を設けて成ることを特徴とするものである。
【０００８】
このようにロータンク３上部付近に位置する吐出口５ａを設けることで、使用者は涼感が得られ易い背側の部位に送風を浴びることができ、また特に吸込口４ａは便器本体２内部に向かって開口しているので、便器本体２に貯えられた水からの伝熱やこの水の気化熱等によって冷たくなった便器本体２内部の空気を使用者に吐出することができ、これにより簡単な構成で冷たい空気を使用者に送ることができる。
【０００９】
また請求項２記載の便器装置は請求項１記載の便器装置において、上記送風流路部６ａに送風流路部６ａ内の空気の脱臭を行う脱臭部を設けて成ることを特徴とするものである。
【００１０】
このように送風流路部６ａに送風流路部６ａ内の空気の脱臭を行う脱臭部を設けることで、便器本体２内部から吸い込まれた空気は脱臭部にて脱臭された後、使用者側に吐出することができ、またこの場合、この吸込口４ａと、送風手段と、脱臭部は脱臭装置の部材を転用することができ、若干の変更を加えることで、新たに冷風機能を備えることができる。
【００１１】
また請求項３記載の便器装置は、水洗式の便器本体２と、ロータンク３とを有する便器装置１において、該便器装置１に便器本体２外部に開口する吸込口４ｂと、ロータンク３上部付近に位置すると共に便器本体２使用者側に向かって開口する吐出口５ｂと、吸込口４ｂと吐出口５ｂとを連通接続する送風流路部６ｂとを設け、該送風流路部６ｂに便器本体２内部の空気を吸込口４ｂより送風流路部６ｂ内に吸い込むと共に吸い込んだ空気を吐出口５ｂから吐出する送風手段と、送風流路部６内の空気を加熱する加熱手段とを設け、この便器装置１に使用者側以外の方向に開口する暖房用排気口８と、送風流路部６ｂの加熱手段及び送風手段よりも下流側と暖房用排気口８とを連通接続する暖房用流路部９とを設け、暖房用流路部９と送風流路部６ｂとの分岐点Ａに吸込口４ｂから吸い込んだ空気を吐出口５ｂ側への流れと暖房用排気口８側への流れとに切換えるための暖房用風向き切換え手段を設け、便器装置１に加熱手段のＯＮ／ＯＦＦを切換えると共に暖房用風向き切換え手段による風向きを切換える制御部１０を設け、該制御部１０にて吸込口４ｂから吸い込んだ空気を暖房用風向き切換え手段により吐出口５ｂ側への流れにすると共に加熱手段をＯＦＦにした送風と、吸込口４ｂから吸い込んだ空気を暖房用風向き切換え手段により吐出口５ｂ側への流れにすると共に加熱手段をＯＦＦにした送風と、暖房用風向き切換え手段を暖房用排気口８側への流れにすると共に加熱手段をＯＮにした送風とを切換えられるようにしたことを特徴とするものである。
【００１２】
このようにロータンク３上部付近に位置する吐出口５ｂを設けることで、暖房用風向き切換え手段を吐出口５ｂ側への流れにすると共に加熱手段をＯＦＦにして送風を行って使用者は涼感を得易い背側に送風を浴びることができ、暖房用排気口８は使用者側以外の方向に向かって開口しているので、暖房用風向き切換え手段を暖房用排気口８側への流れにすると共に加熱手段をＯＮにして送風を行った場合、使用者の体に直接熱い空気を当てることなくトイレルームの暖房を行うことができる。またこの場合、吸込口４ｂと、送風手段と、加熱手段は暖房装置の部材を転用することができ、若干の変更を加えるだけで、新たに送風機能を備えることができる。
【００１３】
また請求項４記載の便器装置は水洗式の便器本体２と、ロータンク３とを有する便器装置１において、該便器装置１に便器本体２内部に開口する主吸込口４ａと、便器本体２外部に開口する副吸込口４ｂと、ロータンク３上部付近に位置すると共に便器本体２使用者側に向かって開口する主吐出口５ａ及び主吐出口５ａと異なる副吐出口５ｂと、主吸込口４ａと主吐出口５ａとを連通接続する主送風流路部６ａと、副吸込口４ｂと副吐出口５ｂとを連通接続する副送風流路部６ｂとを設け、主送風流路部６ａに便器本体２内部の空気を主吸込口４ａより主送風流路部６ａ内に吸い込むと共に吸い込んだ空気を主吐出口５ａから吐出する主送風手段と、主送風流路部６ａ内の空気の脱臭を行う脱臭部とを設け、副送風流路部６ｂに便器本体２内部の空気を副吸込口４ｂより副送風流路部６ｂ内に吸い込むと共に吸い込んだ空気を副吐出口５ｂから吐出する副送風手段と、副送風流路部６ｂ内の空気を加熱する加熱手段とを設け、便器装置１に使用者側以外の方向に開口する暖房用排気口８と、副送風流路部６ｂの加熱手段及び副送風手段よりも下流側と暖房用排気口８とを連通接続する暖房用流路部９とを設け、暖房用流路部９と副送風流路部６ｂとの分岐点Ａに副吸込口４ｂから吸い込んだ空気を副吐出口５ｂ側への流れと暖房用排気口８側への流れとに切換えるための暖房用風向き切換え手段を設け、便器装置１に加熱手段のＯＮ／ＯＦＦを切換えると共に暖房用風向き切換え手段による風向きを切換える制御部１０を設け、該制御部１０にて副吸込口４ｂから吸い込んだ空気を暖房用風向き切換え手段により副吐出口５ｂ側への流れにすると共に加熱手段をＯＦＦにした送風と、副吸込口４ｂから吸い込んだ空気を暖房用風向き切換え手段により暖房用風向き切換え手段を暖房用排気口８側への流れにすると共に加熱手段をＯＮにした送風とを切換えられるようにしたことを特徴とするものである。
【００１４】
このようにロータンク３上部付近に位置する主吐出口５ａ及び副吐出口５ｂを設けることで、使用者は主送風手段によって主吐出口５ａからの涼感を得易い背側に送風を浴びることができ、また暖房用風向き切換え手段により副吐出口５ｂ側への流れにすると共に加熱手段をＯＦＦにして副送風手段により送風を行うことで使用者は副吐出口５ｂから涼感を得易い背側の前記主送風手段によって当てられた体の部分とは異なる部分に送風を浴びることが可能となり、また主送風手段と副送風手段との両方を運転することで、使用者の体の異なる部分に同時に送風を当てることが可能となる。また両吐出口５ａ、５ｂからの風の吐出は夫々別々の送風手段によって行われるため、より風量の多い風を使用者に送ることができる。また、主吸込口４ａは便器本体２内部に向かって開口しているので、便器本体２に貯えられた水からの伝熱やこの水の気化熱等により冷たくなった空気を主吐出口５ａから使用者に送ることができ、これにより簡単な構成で冷たい空気を主吐出口５ａから使用者に送ることができる。また主送風流路部６ａには脱臭部を設けているため、主吐出口５ａから吐出される空気は脱臭部にて脱臭された後に吐出されることとなり、使用者が不快な臭気を感じることがなくなる。また暖房用排気口８は使用者側以外の方向に開口しているため、暖房用風向き切換え手段を暖房用排気口８側への流れにすると共に加熱手段をＯＮにして送風を行うことで、使用者の体に直接熱い空気を当てることなくトイレルームの暖房を行うことができる。またこの場合、主吸込口４ａと、主送風手段と、脱臭部と、副吸込口４ｂと、副送風手段と、加熱手段は、脱臭装置及び暖房装置の部材を転用することができ、若干の変更を加えることで、新たに冷風機能と送風機能を備えることができる。
【００１５】
また請求項５記載の便器装置は水洗式の便器本体２と、ロータンク３とを有する便器装置１において、該便器装置１に便器本体２内部に開口する主吸込口４ａと、便器本体２外部に開口する副吸込口４ｂと、ロータンク３上部付近に位置すると共に便器本体２使用者側に向かって開口する吐出口５と、主吸込口４ａと吐出口５とを連通接続する主送風流路部６ａとを設け、主送風流路部６ａに便器本体２内部の空気を主吸込口４ａより主送風流路部６ａ内に吸い込むと共に吸い込んだ空気を吐出口５から吐出する主送風手段と、主送風流路部６ａ内の空気の脱臭を行う脱臭部とを設け、また便器装置１に副吸込口４ｂと主送風流路部６ａの脱臭部よりも下流側とを連通接続する副送風流路部６ｂを設け、副送風流路部６ｂに便器本体２内部の空気を副吸込口４ｂより副送風流路部６ｂ内に吸い込むと共に吸い込んだ空気を吐出口５から吐出する副送風手段と、副送風流路部６ｂ内の空気を加熱する加熱手段とを設け、便器装置１に使用者側以外の方向に開口する暖房用排気口８と、暖房用排気口８と副送風流路部６ｂの加熱手段及び副送風手段よりも下流側とを連通接続する暖房用流路部９とを設け、暖房用流路部９と副送風流路部６ｂとの分岐点Ａに副吸込口４ｂから吸い込んだ空気を吐出口側５への流れと暖房用排気口８側への流れとに切換えるための暖房用風向き切換え手段を設け、便器装置１に加熱手段のＯＮ／ＯＦＦを切換えると共に暖房用風向き切換え手段による風向きを切換える制御部１０を設け、該制御部１０にて副吸込口４ｂから吸い込んだ空気を暖房用風向き切換え手段により吐出口側への流れにすると共に加熱手段をＯＦＦにした送風と、副吸込口４ｂから吸い込んだ空気を暖房用風向き切換え手段により暖房用排気口８側への流れにすると共に加熱手段をＯＮにした送風とを切換えられるようにしたことを特徴とするものである。
【００１６】
このようにロータンク３上部付近に位置する吐出口５を設けることで、使用者は主送風手段によって吐出口５から涼感を得易い背側に送風を浴びることが可能となり、また暖房用風向き切換え手段により吐出口５側への流れにすると共に加熱手段をＯＦＦにして副送風手段により送風を行うことでも使用者は吐出口５から涼感を得易い背側に送風を浴びることが可能となり、また主送風手段と副送風手段との両方によって吐出口５から使用者の体に強い送風を当てることが可能となる。また主吸込口４ａを便器本体２内部に向かって開口させたので、便器本体２に貯えられた水からの伝熱やこの水の気化熱等により冷たくなった空気を吐出口５から使用者に送ることができ、これにより簡単な構成で吐出口５より冷たい空気を使用者に送ることができる。また主送風流路部６ａには脱臭部を設けているため、吐出口５から吐出される空気は脱臭部にて脱臭された後に吐出されることとなり、使用者が不快な臭気を感じることがなくなる。また暖房用排気口８は使用者側以外の方向に開口しているため、暖房用風向き切換え手段を暖房用排気口８側への流れにすると共に加熱手段をＯＮにして送風を行うことで、使用者の体に直接熱い空気を当てることなくトイレルームの暖房を行うことができる。またこの場合、主吸込口４ａと、主送風手段と、脱臭部と、副吸込口４ｂと、副送風手段と、加熱手段は、脱臭装置と暖房装置の部材を転用することができ、脱臭装置及び暖房装置に若干の変更を加えることで、新たに冷風機能と送風機能を備えることができる。
【００１７】
また請求項６記載の便器装置は、水洗式の便器本体２と、ロータンク３とを有する便器装置１において、該便器装置１に便器本体２内部に開口する吸込口４と、ロータンク３の上部付近に位置すると共に便器本体２使用者側に向かって開口する主吐出口５ａ及び主吐出口５ａと異なる副吐出口５ｂと、吸込口４と主吐出口５ａとを連通接続する主送風流路部６ａとを設け、主送風流路部６ａに便器本体２内部の空気を吸込口４より主送風流路部６ａ内に吸い込むと共に吸い込んだ空気を主吐出口５ａから吐出する主送風手段と、主送風流路部６ａ内の空気の脱臭を行う脱臭部とを設け、また便器装置１に副吐出口５ｂと主送風流路部６ａの脱臭部よりも上流側とを連通接続する副送風流路部６ｂを設け、副送風流路部６ｂに便器本体２内部の空気を吸込口４より副送風流路部６ｂ内に吸い込むと共に吸い込んだ空気を副吐出口５ｂから吐出する副送風手段と、副送風流路部６ｂ内の空気を加熱する加熱手段とを設け、便器装置１に使用者側以外の方向に開口する暖房用排気口８と、副送風流路部６ｂの加熱手段及び副送風手段よりも下流側と暖房用排気口８とを連通接続する暖房用流路部９とを設け、暖房用流路部９と副送風流路部６ｂとの分岐点Ａに吸込口４から吸い込んだ空気を副吐出口５ｂ側への流れと暖房用排気口８側への流れとに切換えるための暖房用風向き切換え手段を設け、便器装置１に加熱手段のＯＮ／ＯＦＦを切換えると共に暖房用風向き切換え手段による風向きを切換える制御部１０とを設け、該制御部１０にて吸込口４から吸い込んだ空気を暖房用風向き切換え手段により副吐出口５ｂ側への流れにすると共に加熱手段をＯＦＦにした送風と、吸込口４から吸い込んだ空気を暖房用風向き切換え手段により暖房用排気口８側への流れにすると共に加熱手段をＯＮにした送風とを切換えられるようにしたことを特徴とするものである。
【００１８】
このようにロータンク３上部付近に位置する主吐出口５ａ及び副吐出口５ｂを設けることで、使用者は主送風手段によって主吐出口５ａからの涼感を得易い背側に送風を浴びることができ、また暖房用風向き切換え手段により副吐出口５ｂ側への流れにすると共に加熱手段をＯＦＦにして副送風手段により送風を行うことで、使用者は副吐出口５ｂから前記主送風手段によって当てられた体の部分とは異なる涼感を得易い背側の部分に送風を浴びることが可能となり、また暖房用排気口８は使用者側以外の方向に開口しているため、暖房用風向き切換え手段を暖房用排気口８側への流れにすると共に加熱手段をＯＮにして送風を行うことで、使用者の体に直接熱い空気を当てることなくトイレルームの暖房を行うことができ、また主送風手段と副送風手段との両方を運転することで、両吐出口５ａ、５ｂから夫々別々の送風手段によって風量の多い風を使用者に送ることができる。また、吸込口４を便器本体２内部に向かって開口させたので、便器本体２に貯えられた水からの伝熱やこの水の気化熱等により冷たくなった空気を両吐出口５ａ、５ｂから使用者に送ることができ、これにより簡単な構成で使用者に冷風を送ることができる。また主送風流路部６ａには脱臭部を設けているため、主吐出口５ａから吐出される空気は脱臭部にて脱臭された後吐出されることとなり、使用者が不快な臭気を感じることがなくなる。またこの場合、吸込口４と、主送風手段と、脱臭部と、副送風手段と、加熱手段は、脱臭装置及び暖房装置の部材を転用することができ、若干の変更を加えることで、新たに冷風機能と送風機能を備えることができる。
【００１９】
また請求項７記載の便器装置は請求項１〜６のいずれかに記載の便器装置において、上記便器装置１に吐出口５とは異なるロータンク３上部付近に位置すると共に便器本体２使用者側に向かって開口する１つ以上の分岐口１１と、該分岐口１１と送風流路部６の送風手段よりも下流側とを連通接続する分岐流路部１２と、吐出口５と分岐口１１の夫々の開閉を行う開閉手段とを設けて成ることを特徴とするものである。
【００２０】
このように便器装置１に一つ以上の分岐口１１と、吐出口５と分岐口１１の夫々の開閉を行う開閉手段とを設けたので吐出口５及び分岐口１１のうち複数を開にすることで、使用者の体の複数の部分に同時に送風を当てることが可能となり、また、吐出口５及び分岐口１１を選択的に開にすることで、体の各部位に夫々送風を行うことができる。またこの場合、使用者の体の一部に風量の多い送風を行ったり、複数の部分に風量の少ない送風を行ったりして、吐出口５もしくは分岐口１１から吐出される風の強さを吐出口５及び分岐口１１を開にする数によって変化させることができる。また一つの送風手段で使用者の複数の部位に送風を送ることができる。
【００２１】
また請求項８記載の便器装置は上記請求項２及び４〜７のいずれかに記載の便器装置において、上記便器装置１に使用者側以外の方向に開口する脱臭用排気口１３と、脱臭用排気口１３と脱臭部を備えた送風流路部６ａの脱臭部よりも下流側とを連通接続する脱臭用流路部１４とを設け、この脱臭部を備えた送風流路部６ａと脱臭用流路部１４との分岐点Ｂに吸込口４ａから吸い込んだ空気を吐出口５ａ側への流れと脱臭用排気口８側への流れとに切換える脱臭用風向き切換え手段を設けて成ることを特徴とするものである。
【００２２】
上記のように使用者側以外の方向に開口する脱臭用排気口８を設けることで、使用者側に冷風を送る吐出口５ａからの送風と、使用者側に冷風を送らない脱臭用排気口１３からの送風とを選択することができ、これによって使用者は脱臭を行いながら冷風を浴びるか否かを選択することができる。また上記の脱臭用排気口８は脱臭装置の脱臭用排気口を転用することができる。
【００２３】
また請求項９記載の便器装置は請求項１〜８のいずれかに記載の便器装置において、ロータンク３内部の水と送風流路部６内の空気とが送風流路部６外面を介して熱交換を行うように送風流路部６を配設して成ることを特徴とするものである。
【００２４】
このようにロータンク３内部の水と送風流路部６内の空気とが送風流路部６外面を介して熱交換を行うように配設したことで、送風流路部６内の空気をロータンク３内部に貯えられた冷たい水によってより一層冷やすことができる。
【００２５】
また請求項１０記載の便器装置は上記請求項９記載の便器装置において、上記送風流路部６を送風流路部６の外面がロータンク３の外面に接するように配設して成ることを特徴とするものである。
【００２６】
このように送風流路部６の外面がロータンク３の外面に接するように配設するといった簡単な構成で、送風流路部６外面を介したロータンク３内部の水と送風流路部６内の空気との熱交換を行うことができる可能となる。
【００２７】
また請求項１１記載の便器装置は上記請求項１０記載の便器装置において、上記ロータンク３を水を貯えるための貯水タンク部１６と貯水タンク部１６外面を覆うカバー１５とで構成し、送風流路部６を該カバー１５と貯水タンク部１６外面との間に配設すると共に送風流路部６の外面と貯水タンク部１６の外面とが接するように形成して成ることを特徴とするものである。
【００２８】
このように送風流路部６をカバー１５と貯水タンク部１６外面との間の隙間に配設しているので、送風流路部６がロータンク３外部に露出しない。
【００２９】
また請求項１２記載の便器装置は上記請求項９記載の便器装置において、上記送風流路部６をロータンク３内部を通るように配設して成ることを特徴とするものである。
【００３０】
このようにロータンク３内部を通るように送風流路部６を配設することで、送風流路部６の外面をロータンク３内部の水と直接接触させることができ、より一層送風流路部６内の水がロータンク３内部の水によって冷やされることとなる。さらにこの場合、送風流路部６はロータンク３内部を通るように配設されているため、送風流路部６がロータンク３外部に露出せず、また便器装置１外部に新たに送風流路部６を配置するためのスペースを必要としない。
【００３１】
また請求項１３記載の便器装置は上記請求項１２記載の便器装置において、上記送風流路部６外面にロータンク３内部に位置しロータンク３内部の水と接する放熱板１７を設けて成ることを特徴とするものである。
【００３２】
このように放熱板１７を設けることで、ロータンク３内部の水と送風流路部６内の空気との熱交換効率をより一層上げることができ、これにより送風流路部６内の空気をより一層冷やすことができる。
【００３３】
また請求項１４記載の便器装置は上記請求項１〜８のいずれかに記載の便器装置において、便器装置１にロータンク３とロータンク３に水を供給する給水源２２とを連通接続する給水路部１８を設け、送風流路部６を送風流路部６の外面と給水路部１８の外面とが接するように配設してなることを特徴とするものである。
【００３４】
このように送風流路部６を送風流路部６の外面と給水路部１８の外面とが接するように配設することで、給水路部６内の冷えた水によって送風流路部６内の空気をより一層冷やすことができる。また給水路部１８の外面に送風流路部６を配設しているため、給水路部１８の温度低下を防止でき、これによって給水路部１８からの結露を防止することができる。
【００３５】
また請求項１５記載の便器装置は上記請求項１４記載の便器装置において、上記送風流路部６を給水路部１８に螺旋状に巻きつけて成ることを特徴とするものである。
【００３６】
このように給水路部１８に送風流路部６を螺旋状に巻きつけて配設することで、給水路部１８と送風流路部６との接触面積はより一層大きくなり、これによってより一層送風流路部６内の空気を冷やすことができる。
【００３７】
【発明の実施の形態】
以下、本発明を添付図面に示す実施形態に基づいて説明する。
【００３８】
まず第１の実施形態について説明すると、本実施形態における便器装置１は図２に示すような外観を有しており、該便器装置１はノズルやポンプを備えた便器本体２使用者（以下単に使用者と称す）の局部を洗浄するための局部洗浄手段と、便器本体内部の臭気の強い空気を脱臭するための脱臭装置とを備えた局部洗浄装置で主体を構成しており、便器本体２内部の脱臭と使用者に冷風を送る脱臭兼冷風機能を有している。この便器装置１は水洗式の便器本体２を有しており、図１に示すように便器本体２の上面には後から順にロータンク３、局部洗浄装置１９が設けられており、局部洗浄装置１９には使用者が着座するための便座２０と、便座２０を覆う便蓋２１とが回動自在に取り付けられている。また、便器装置１はロータンク３とロータンク３内部に水を供給する給水源２２とを連通接続する給水路部１８を有している。（図８参照）
ロータンク３は水を貯えるための貯水タンク部１６と、貯水タンク部１６の便器本体２に載置された下面を除く外面を覆うカバー１５とで構成されており、該カバー１５はカバー１５の内部前面と貯水タンク部１６の前面との間に隙間が形成されるように配設されている。
【００３９】
以下便器装置１の脱臭兼冷風機能について詳述する。図１に示すように局部洗浄装置１９の幅方向外側（右側）には便器本体２内部に向かって下向きに開口する吸込口４ａを設けてあり、右側面には送風管接続口部３６ａを設けている（図２参照）。吸込口４ａと送風管接続口部３６ａは局部洗浄装置１９に設けた連通部２４ａによって連通接続されている。送風管接続口部３６ａには送風管２３ａの一端部が接続されており、送風管２３ａの他端部はカバー１５前面の上部付近の右側、すなわち使用者の背側上部右側に位置する吐出口５ａに接続されている。しかして吸込口４ａから順に連通部２４ａ内部、送風管接続口部３６ａ、送風管２３ａ内部、吐出口５ａとが連通することとなり、吸込口４ａと吐出口５ａとを連通させる流路を形成する。本実施形態においては、前記連通部２４ａ及び送風管２３ａを送風流路部６ａとしている。送風管２３ａは前述したロータンク３のカバー１５内部の前面と貯水タンク部１６の前面との間に形成された隙間に位置するように配置されると共に貯水タンク部１６の外側面に沿って配置され、また送風管２３ａはロータンク３側の外面の略全部が貯水タンク部１６に接するように配設されている。
【００４０】
送風流路部６ａの途中には便器本体２内部の空気を吸込口４ａより送風流路部６ａ内に吸い込むと共に吸い込んだ空気を吐出口５ａから吐出する脱臭用ファン２５ａが設けられており、本実施形態においてはこの脱臭用ファン２５ａを送風手段としている。また送風流路部６ａの送風手段よりも上流側に位置する箇所には送風流路部６ａ内の空気の脱臭を行う脱臭用フィルタ２６が設けられており、本実施形態においてはこの脱臭用フィルタ２６を脱臭部としている。
【００４１】
上記脱臭用ファン２５ａは便器装置１に設けられた制御部１０ａに接続されており、制御部１０ａによる脱臭用ファン２５ａのＯＮ／ＯＦＦの切換えは図３に示す便器装置１に設けた操作パネル２７ａの脱臭釦４４により操作できるように設定されており、また脱臭用ファン２５ｂの回転数は操作パネル２７ａの風量調節釦４３ａのような脱臭用ファン風量操作部により操作できるように設定されている。
【００４２】
具体的に説明すると、制御部１０ａは操作パネル２７ａの脱臭釦４４を操作することで、脱臭用ファン２５ａのＯＮ／ＯＦＦを切換えられるように設定されており、本実施形態においてはこの脱臭釦４４を脱臭用ファンＯＮ／ＯＦＦ切換え操作部としている。脱臭用ファン２５ａがＯＮになると便器本体２内部の空気を吸気口４ａから送風流路部６ａ内に吸い込み、この空気が脱臭用フィルタ２６で脱臭された後、脱臭用ファン２５ａを通って吐出口５ａより使用者の背面に吐出される。これによって使用者は脱臭された送風を浴びることができ、涼感を得る事ができる。また、風量調節釦４３ａを操作して脱臭用ファン２５ａの回転数を調節することで、使用者の好みに合った風量の送風を得られることができる。
【００４３】
ところで、上記のように吸込口４ａを便器本体２内部に向かって開口するように配設したのは以下の理由による。すなわち、水洗式の便器本体２内部には常時水が張っており、この便器本体２に貯えられた水からの伝熱やこの水の気化熱等により便器本体２内部の空気温度は低くなっており、この冷えた空気を吐出口５ａより吐出することで使用者には冷たい空気を当てることができ、これによって使用者は夏季等にトイレルーム内の温度が高くなった場合に冷たい空気を浴びることができ、より一層快適になるのである。
【００４４】
また、便器本体２内部の空気は臭気が強いのだが、上記のように送風流路部６ａに脱臭用フィルタ２６を設けているので、使用者が臭気を感じることがなくより一層快適である。
【００４５】
また、上記の脱臭用ファン２５ａと、脱臭用フィルタ２６と、吸込口４ａと、送風流路部６ａの一部（連通部２４）は従来例に記した局部洗浄装置の脱臭装置に構成した脱臭用ファンと、脱臭用フィルタと、脱臭用吸気口と、脱臭用流路部の一部を転用することができ、従来の脱臭機能を備えた局部洗浄装置に若干の変更を加えるだけで、従来例のように新たに熱交換器と送風手段を設けることなく、冷風機能を備えることができ、製造コストの大幅な削減と便器装置１の小型化を行うことができる。さらに本実施形態においては前述したように熱交換器を使用することなく、冷たい空気を使用者に当てることができるため、ランニングコストの削減になる。また脱臭用ファン２５ａにて送風を行っている際は脱臭も同時に行っているため、これによってより一層ランニングコストの削減になる。
【００４６】
また、上記では前述したように送風管２３ａ（送風流路部６ａ）の外面が貯水タンク部１６の前面と接するように配設されており、すなわち送風流路部６ａはロータンク３内部の水と送風流路部６ａ内の空気とが送風流路部６ａ外面を介して熱交換を行うように配設されているため、送風流路部６ａ内の空気が貯水タンク部１６に貯えられた冷たい水によって冷やされ、これによってより一層冷たい空気を使用者に当てることができる。またこの場合、送風管２３ａはカバー１５と貯水タンク部１６との間に形成された隙間に配設されるため、送風管２３ａはロータンク３外部に露出せず、送風流路部６ａを設けたにもかかわらず外観を美しく保つことができる。
【００４７】
またここで図４に示すようにロータンク３にカバー１５を設けず、ロータンク３を貯水タンク部１６のみで構成し、この貯水タンク部１６の外側面に沿って送風管２３ａ（送風流路部６ａ）を配置し、送風管２３ａの貯水タンク部１６側の外面の略全部が貯水タンク部１６に接するように配設することも好ましい。この場合の送風管２３ａについて詳述すると、送風管２３ａの貯水タンク部１６と接する側面部２８は図５に示すように熱伝導性の良い金属等で形成されており、また送風管２３ａの貯水タンク部１６と接さない側面部２９は断熱効果の高い断熱材等で形成されている。なおここで、断熱材は貯水タンク部１６と接さない側面部２９の外面のみに設けられてあっても良いものとする。このように構成することで、送風流路部６ａ内の空気は貯水タンク部１６に貯えられた冷たい水によって冷やされ、これによってより一層冷たい空気を使用者に当てることができる。また、ロータンク３にカバー１５を構成していないので製造コストを削減することができる。なお、この送風管２３ａの貯水タンク部１６と接する側面部２８を熱伝導性の良い金属等で形成すると共に送風管２３ａの貯水タンク部１６と接さない側面部２９を断熱効果の高い断熱材等で形成する構成は、前述したカバー１５と貯水タンク部１６との間の隙間に送風管２３ａを配設した実施例に適用しても良いものとする。
【００４８】
またここで、図６に示すようにロータンク３にカバー１５を設けず、ロータンク３を貯水タンク部１６のみで構成し、送風管２３ａをこの貯水タンク部１６内部を通るように配設することも好ましい。このようにロータンク３内部を通るように送風流路部６ａを配設することで、送風流路部６ａの外面がロータンク３内部の水と直接接触するようになり、より一層送風流路部６ａ内の水がロータンク３の水によって冷やされることとなる。さらにこの場合、送風流路部６ａはロータンク３内部を通るように配設されているため、便器装置１外部に新たに送風流路部６ａを配置するためのスペースを設けなくてもよく、これによってより一層トイレルームのスペースを広くとれる。またこの場合、ロータンク３にカバー１５を構成していないので製造コストを削減することができる。
【００４９】
また上記送風管２３ａをロータンク３内部を通るように配設した例において、図７に示すように送風流路部６ａ外面にロータンク３内部に位置する放熱板１７を設けることも好ましい。詳述すると、送風流路部６ａの送風管２３ａの外面には上下方向において放熱板１７が複数設けられており、この放熱板１７はロータンク３内部の水と接触する箇所に配設されている。このように放熱板１７を設けることで、ロータンク３内部の水と送風流路部６ａ内の空気との熱交換効率をより一層上げることができ、これにより送風流路部６ａ内の空気をより一層冷やすことができる。
【００５０】
なお、上記ロータンク３内部の水と送風流路部６ａ内の空気とが送風流路部６ａ外面を介して熱交換を行うように送風流路部６ａを配設した３つの例は後述する第２〜４の実施形態における送風流路部６ａ、６ｂに適用しても良いものとする。
【００５１】
またここで、図８に示すように送風流路部６ａを送風流路部６ａの外面と給水路部１８の外面とが接するように配設することが好ましい。以下具体的に説明する。
【００５２】
ロータンク３は水を貯えるための貯水タンク部１６と、貯水タンク部１６の便器本体２に載置された下面を除く外面を覆うカバー１５とで構成されている。カバー１５はカバー１５の内側面と貯水タンク部１６の外側面との間に隙間が形成されるように形成され、この隙間に前記給水路部１８と送風流路部６ａの送風管２３ａとを貯水タンク部１６の外側面に沿うように配設している。送風流路部６ａは給水路部１８に螺旋状に巻きつけて配設されており、螺旋状の内側面部に相当する送風管２３ａの外面は給水路部１８に接するように配設され、また送風流路部６ａのロータンク３側の側面は貯水タンク部１６の外側面に接している。
【００５３】
このように送風流路部６ａを送風流路部６ａの外面と給水路部１８の外面とが接するように配設することで、給水路部１８内の冷えた水によって送風流路部６ａ内の空気がより一層冷やされる。また、通常、給水路部１８の外面には結露を防止するために防露材を巻いているのだが、本例では上記のように給水路部１８の外面に送風流路部６ａを配設しているため、給水路部１８外面の温度低下を防止することができ、これによって防露材を設けなくても結露を防止することができ、より一層のコスト削減となる。また特に給水路部１８に送風流路部６ａを螺旋状に巻きつけて配設することで、給水路部１８と送風流路部６ａとの接触面積はより一層大きくなり、また送風流路部６ａの外側面は貯水タンク部１６と接しているため、これらによってより一層送風流路部６ａ内の空気を冷やすことができる。なお、この送風流路部６ａを送風流路部６ａの外面と給水路部１８の外面とが接するように配設する例も後述する第２〜４の実施形態における送風流路部６ａ、６ｂに適用しても良いものとする。
【００５４】
次に上記実施形態とは異なる第２の実施形態について説明する。なお上記第１の実施形態と同一の構成については同一の番号を付与してあり、重複する説明については説明を省略する。
【００５５】
図１０に示すように局部洗浄装置１９に便器本体２側面の後上端部付近に位置する箇所に下向きに開口する、すなわち便器本体２外部の使用者側以外の方向に開口する脱臭用排気口１３を設けている。また局部洗浄装置１９には、一端部を脱臭用排気口１３に接続すると共に他端部を連通部２４ａに接続する脱臭用流路部１４が設けられており、これにより脱臭用排気口１３と送風流路部６ａの脱臭用ファン２５ａよりも下流側とを連通接続している。この脱臭用流路部１４と送風流路部６ａとの分岐点Ｂには吸込口４ａから吸い込んだ空気の流れを吐出口５ａ側と脱臭用排気口１３側とに切換えるための脱臭用ダンパー３１が設けられており、本実施形態においてはこの脱臭用ダンパー３１を脱臭用風向き切換え手段としている。
【００５６】
また、便器装置１には図９に示すように上記吐出口５ａとは異なるロータンク３上部付近に位置すると共に便器本体２使用者側に向かって開口する分岐口１１と、分岐口１１と送風流路部６ａの脱臭用ファン２５ａよりも下流側とを連通接続する分岐流路部１２を設けている。送風流路部６ａの分岐点Ｃには吐出口５ａと分岐口１１との夫々の開閉を行う開閉用ダンパー３０が設けられてあり、本実施形態においてはこの開閉用ダンパー３０を開閉手段としている。
【００５７】
上記開閉用ダンパー３０及び前述した脱臭用ダンパー３１は制御部１０ａに接続されて制御されている。
【００５８】
上記制御部は図９に示す便器装置１に設けた操作パネル２７ａに接続されており、開閉用ダンパー３０及び脱臭用ダンパー３１は操作パネル２７ａの脱臭釦４４及び左右送風釦４５、４５により操作できるように設定されている。
【００５９】
すなわち、制御部１０ａは使用者が脱臭釦４４をＯＮにした場合、脱臭用ダンパー３１による風向きを吸込口４ａから吸い込んだ空気の流れを脱臭用排気口１３側に切換えると共に脱臭用ファン２５ａをＯＮにするよう設定されており、また脱臭釦４４をＯＦＦにした場合は脱臭用ファン２５ａをＯＦＦにするように設定されている。また制御部１０ａは左送風釦４５をＯＮにした場合、脱臭用ファン２５ａをＯＮにすると共に脱臭用ダンパー３１によって吸込口４ａから吸い込んだ空気の流れを吐出口５ａ側に切換えると共に図中ハに示すように開閉用ダンパー３０により分岐口１１を閉にすると共に吐出口５ａを開にするよう設定され、また左送風釦４５をＯＦＦにした場合は、脱臭用ファン２５ａをＯＦＦにするように設定されている。また制御部１０ａは右送風釦４５をＯＮにした場合、脱臭用ファン２５ａをＯＮにすると共に脱臭用ダンパー３１によって吸込口４ａから吸い込んだ空気の流れを吐出口５ａ側に切換えると共に図中イに示すように開閉用ダンパー３０により吐出口５ａを閉にすると共に分岐口１１を開にするよう設定され、また右送風釦４５をＯＦＦにした場合は脱臭用ファン２５ａをＯＦＦにするように設定されている。また制御部１０ａは右送風釦４５と左送風釦の両方をＯＮにした場合、脱臭用ファン２５ａをＯＮにすると共に脱臭用ダンパー３１による風向きを吸込口４ａから吸い込んだ空気の流れを吐出口５ａ側に切換えると共に図中ロに示すように開閉用ダンパー３０により吐出口５ａと分岐口１１とを開にするよう設定されている。
【００６０】
すなわち、脱臭用ファン２５ａのＯＮ／ＯＦＦの操作は脱臭釦４４及び左右送風釦４５，４５により操作できるようになっており、本実施形態においてはこれを脱臭用ファンＯＮ／ＯＦＦ操作部とし、また吸込口４ａから吸い込んだ空気の流れを吐出口５ａ側と脱臭用排気口１３側とに切換える風向きの切換えも、脱臭釦４４及び左右送風釦４５、４５により操作できるようになっており、本実施形態においてはこれを脱臭用風向き切換え操作部とし、また吸込口４ａから吸い込んだ空気の流れを吐出口５ａ側と分岐口側１１とに切換える風向きの切換えも左右送風釦４５、４５により操作できるようになっており、本実施形態においてはこれを開閉手段操作部としている。
【００６１】
上記により脱臭釦４４をＯＮにした場合は、使用者側に冷風を送らずに脱臭用排気口１３から脱臭された空気を吐出することができる。
【００６２】
また、左右切換え釦４５、４５のうち一つを選択的にＯＮにすることで、吐出口５ａ及び分岐口１１を選択的に開にして、使用者の好みの部位に冷たい風を送ることができる。また、左右切換え釦４５、４５の両方をＯＮにすることで、吐出口５ａ及び分岐口１１のうち複数を開にして使用者の体の複数の部分に同時に送風を当てることが可能となる。
【００６３】
すなわちこの場合、使用者側に冷風を送らない脱臭用排気口１３からの送風と使用者側に冷風を送る吐出口５ａ及び分岐口１１からの送風とを選択することができる。また上記の脱臭用排気口１３は従来例に記した局部洗浄装置の脱臭装置に構成した脱臭用排気口を転用することができ、より一層コストの削減になる。
【００６４】
また便器装置１に分岐口１１を設けることで、一つの脱臭用ファン２５ａで複数の体の部位に送風を送ることができ、部材コストの削減になる。またこの場合、使用者の体の一部に強い送風を行ったり、体の複数の部分に弱い送風を行ったりして、吐出口５ａ及び分岐口１１を開にする数によって吐出口５ａもしくは分岐口１１から吐出される風の強さを変化できる。
【００６５】
なお、本実施形態においては１つの分岐口１１を設けた例を示したが、これに限定されるものではなく、２つ以上の分岐口１１を設けてあっても良いものとする。この場合、便器装置１は吐出口５ａ及び複数の分岐口１１の夫々の開閉を行う開閉手段を有しているものとする。
【００６６】
また上記の便器装置１の一つ以上の分岐口１１に一端部を接続した分岐流路部１２の他端部を後述する第３、４の実施形態における便器装置１の送風流路部６ａ、６ｂの送風手段よりも下流側に接続し、本実施形態を第３、４の実施形態に適用しても良いものとし、この場合においても上記と同様の作用効果が得られる。
【００６７】
また、上記では脱臭用流路部１４の他端部を連通部２４ａと接続する例を示したが、図１１に示すように脱臭用流路部１４の他端部を送風管２３ａの吐出口５ａよりもやや上流側に接続し、この送風流路部６ａと脱臭用流路部１４の分岐点Ｂに吐出口５ａ側への流れと脱臭用排気口１３側への流れとを切換える脱臭用ダンパー３１を設けても良いものとする。この場合、図に示すように脱臭流路部１４と送風流路部６ａとを一つの部材で形成することができ外観が良くなる。
【００６８】
次に上記第１、２の実施形態とは異なる第３の実施形態について説明する。なお上記第１の実施形態と同一の構成については同一の番号を付与してあり、重複する説明については説明を省略する。また本実施形態における便器装置１には上記第１の実施形態における脱臭兼冷風機能は有していないものとする。
【００６９】
本実施形態における便器装置１は暖房兼送風機能を有している。以下暖房兼送風機能について詳述する。
【００７０】
図１２に示すように局部洗浄装置１９の幅方向外側（左側）には便器本体２内部に向かって下向きに開口する吸込口４ｂを設けてあり、左側面には送風管接続口部（図示せず）を設けている。吸込口４ｂと送風管接続口部は局部洗浄装置１９に設けた連通部２４ｂによって連通接続されている。送風管接続口部には送風管２３ｂの一端部が接続されており、送風管２３ｂの他端部はカバー１５前面の上部付近の左側、すなわち便器本体２外部の使用者の背側上部右側に位置する吐出口５ｂに接続されている。しかして吸込口４ｂから順に連通部２４ｂ内部、送風管接続口部、送風管２３ｂ内部、吐出口５ｂとが連通することとなり、吸込口４ｂと吐出口５ｂとを連通させる流路を形成する。本実施形態においては、前記連通部２４ｂ及び送風管２３ｂを送風流路部６ｂとしている。送風管２３ｂは前述したロータンク３のカバー１５内部の前面と貯水タンク部１６の前面との間に形成された隙間に位置するように配置されると共に貯水タンク部１６の外側面に沿って配置され、また送風管２３ｂはロータンク３側の外面の略全部が貯水タンク部１６に接するように配設されている。
【００７１】
送風流路部６ｂの途中には便器本体２外部の空気を吸込口４ｂより送風流路部６ｂ内に吸い込むと共に吸い込んだ空気を吐出口５ｂから吐出する暖房用ファン２５ｂが設けられており、本実施形態においてはこの暖房用ファン２５ｂを送風手段としている。また送風流路部６ｂの暖房用ファン２５ｂよりも上流側に位置する箇所には暖房用ファン２５ｂから順に送風流路部６ｂ内の空気を加熱するヒータ３３と、送風流路部６ｂ内を流れる空気中に含まれる塵や埃等を除去する暖房用フィルタ３４とが設けられており、本実施形態においてはこのヒータ３３を加熱手段としている。
【００７２】
上記便器装置１には便器本体２左側面の後上端部付近に位置する箇所に下向きに開口し便器本体２外部の使用者側以外の方向に開口する暖房用排気口８を設けている。局部洗浄装置１９には、一端部を暖房用排気口８に接続すると共に他端部を連通部２４ｂに接続する暖房用流路部９が設けられており、これにより暖房用排気口８と送風流路部６ｂのヒータ３３よりも下流側とを連通接続している。この暖房用流路部９と送風流路部６ｂとの分岐点Ａには吸込口４ｂから吸い込んだ空気の流れを吐出口５ｂ側と暖房用排気口８側とに切換えるための暖房用ダンパー３５が設けられており、本実施形態においてはこの暖房用ダンパー３５を暖房用風向き切換え手段としている。
【００７３】
上記暖房用ファン２５ｂと、ヒータ３３と、暖房用ダンパー３５とは図１３に示すように便器装置１に設けられた制御部１０ｂに接続されており、制御部１０ｂによる暖房用ファン２５ｂのＯＮ／ＯＦＦ、ヒータ３３のＯＮ／ＯＦＦ、暖房用ダンパー３５の風向きの切換えは便器装置１に設けた操作パネル２７ｂの暖房釦４７及び送風釦４８により操作できるように設定されており、本実施形態においてはこの暖房釦４７及び送風釦４８を暖房用ファンＯＮ／ＯＦＦ切換え操作部及び加熱手段操作部及び暖房用風向き切換え操作部としている。また暖房用ファン２５ｂの回転数（風量）は操作パネル２７ｂの風量調節釦４３ｂのような暖房用ファン風量操作部により操作できるように設定されている。
【００７４】
具体的に説明すると制御部１０ｂは暖房釦４８をＯＮにした場合、暖房用ファン２５ｂとヒータ３３とをＯＮにすると共に吸込口４ｂから吸い込んだ空気の流れを暖房用排気口側８に切換えるように設定されており、また暖房釦４８をＯＦＦにした場合は暖房用ファン２５ｂとヒータ３３とをＯＦＦにするように設定されている。また制御部１０ｂは送風釦４８をＯＮにした場合は、暖房用ファン２５ｂをＯＮにすると共にヒータ３３をＯＦＦにすると共に吸込口４ｂから吸い込んだ空気の流れを吐出口５ｂ側に切換えるように設定されており、また送風釦４８をＯＦＦにした場合は暖房用ファン２５ｂとヒータ３３とをＯＦＦにするように設定されている。
【００７５】
上記構成により、暖房釦４７をＯＮにした場合は便器本体２外部の空気は吸気口４ｂから送風流路部６ｂ内に吸い込まれ、吸い込まれた空気は空気中に含まれる塵や埃等が暖房用フィルタ３４で除去され、この後ヒータ３３で空気が暖められ、暖房用ファン２５ｂを通って暖房用排気口８より便器本体２外部であるトイレルームの下部に吐出される。これによってトイレルームは暖房され、使用者は冬季などの気温が低い際に快適に過ごすことができる。
【００７６】
また送風釦４８をＯＮにした場合は、便器本体２外部の空気が吸気口４ｂから送風流路部６ｂ内に吸い込まれた後、吸い込まれた空気は空気中に含まれる塵や埃等が暖房用フィルタ３４で除去され、暖房用ファン２５ｂを通って吐出口５ｂより暖められていない空気が使用者の背面に向かって吐出される。これによって使用者は送風を浴びることができ、涼感を得る事ができる。また上記では風量調節釦４３ｂを操作して暖房用ファン２５ｂの回転数を調節することで、使用者の好みに合った風量の送風と暖房を得ることができる。
【００７７】
また、上記の暖房用ファン２５ｂと、暖房用フィルタ３４と、吸込口４ｂと、送風流路部６ｂの一部（連通部２４ｂ）は従来例に記した局部洗浄装置の暖房装置を
に構成する暖房用ファンと、暖房用フィルタと、暖房用吸気口と、暖房用流路部の一部を転用することができ、従来の暖房装置を備えた便器装置に若干の変更を加えるだけで、従来例のように新たに送風手段を設けることなく、送風機能を備えることができ、製造コストの大幅な削減になる。また、このように従来の局部洗浄装置の暖房装置を転用することで、便器装置１の小型化を実現し、トイレルームのスペースを広くすることができる。
【００７８】
次に上記第１〜第３の実施形態とは異なる第４の実施形態について説明する。本実施形態における便器装置１には上記第１の実施形態における脱臭兼冷風装置と、第３の実施形態における暖房兼送風装置を有するための構成との両方を設けた点に特徴があり、上記第１及び第３の実施形態と同一の構成については同一の番号を付与してあり、重複する説明については説明を省略する。
【００７９】
本実施形態における便器装置１は図１４に示すように脱臭兼冷風機能と暖房兼送風機能との両方を設けており、第１の実施形態における脱臭兼冷風装置に備えた吸込口４ａと、吐出口５ａと、送風流路部６ａと、脱臭用ファン２５ａとを順に主吸込口４ａ、主吐出口５ａ、主送風流路部６ａ、主送風手段とし、第３の実施形態における暖房兼送風装置に備えた吸込口４ｂと、吐出口５ｂと、送風流路部６ｂ、暖房用ファン２５ｂとを順に副吸込口４ｂ、副吐出口５ｂ、副送風流路部６ｂ、副送風手段としている。すなわち、便器装置１に便器本体２内部に開口する主吸込口４ａと、便器本体２外部に開口する副吸込口４ｂと、ロータンク３上部付近に位置すると共に便器本体２使用者側に向かって開口する主吐出口５ａ及び主吐出口５ａと異なる副吐出口５ｂと、主吸込口４ａと主吐出口５ａとを連通接続する主送風流路部６ａと、副吸込口４ｂと副吐出口５ｂとを連通接続する副送風流路部６ｂとを設け、主送風流路部６ａに便器本体２内部の空気を主吸込口４ａより主送風流路部６ａ内に吸い込むと共に吸い込んだ空気を主吐出口５ａから吐出する主送風手段と、主送風流路部６ａ内の空気の脱臭を行う脱臭部とを設け、副送風流路部６ｂに便器本体２内部の空気を副吸込口４ｂより副送風流路部６ｂ内に吸い込むと共に吸い込んだ空気を副吐出口５ｂから吐出する副送風手段と、副送風流路部６ｂ内の空気を加熱する加熱手段とを設け、便器装置１に使用者側以外の方向に開口する暖房用排気口８と、副送風流路部６ｂの加熱手段及び副送風手段よりも下流側と暖房用排気口８とを連通接続する暖房用流路部９とを設け、暖房用流路部９と副送風流路部６ｂとの分岐点Ａに副吸込口４ｂから吸い込んだ空気を副吐出口５ｂ側への流れと暖房用排気口８側への流れとに切換えるための暖房用風向き切換え手段を設け、便器装置１に加熱手段のＯＮ／ＯＦＦを切換えると共に暖房用風向き切換え手段による風向きを切換える制御部１０を設け、該制御部１０にて副吸込口４ｂから吸い込んだ空気を暖房用風向き切換え手段により副吐出口５ｂ側への流れにすると共に加熱手段をＯＦＦにした送風と、副吸込口４ｂから吸い込んだ空気を暖房用風向き切換え手段により暖房用風向き切換え手段を暖房用排気口８側への流れにすると共に加熱手段をＯＮにした送風とを切換えられるようにした。
【００８０】
なお、脱臭用ファン２５ａと、暖房用ファン２５ｂと、ヒータ３３と、暖房用ダンパー３５とは一つの制御部１０に接続され、脱臭用ファン２５ａと暖房用ファン２５ｂとヒータ３３は制御部１０に接続された操作パネル２７の脱臭釦４４、暖房釦４７、送風釦４８、風量調節釦４３ａ、４３ｂで使用者が操作できるようになっており、この制御については上記第１の実施形態及び第３の実施形態と同じものとし、説明を省略する。
【００８１】
上記構成により、図１５（ａ）に示すように主吸込口４ａと主吐出口５ａとを連通接続する主送風流路部６ａに主送風手段を設け、副吸込口４ｂと副吐出口５ｂとを連通接続する副送風流路部６ｂに副送風手段を設けることとなり、これによって使用者は主送風手段をＯＮにすることで主吐出口５ａから使用者の体の背側部分に冷たい送風を当てることが可能となり、また副送風手段をＯＮにすることで副吐出口５ｂから前記主送風手段によって当てられた体の部分とは異なる部分に送風を当てることが可能となり、また主送風手段と副送風手段との両方をＯＮにすることで主吐出口５ａから使用者の体の背側部分に冷たい送風を当てると共に副吐出口５ｂから主送風手段によって当てられた使用者の体の部分とは異なる背側部分に送風を当てることが可能となり、使用者の好みに合わせた送風を行うことができる。また、この場合両吐出口５ａ、５ｂからの吐出は夫々別々の送風手段によって行われるため、上記第２の実施形態に記した場合と比してより風量の多い風を使用者に送ることができる。さらに上記両送風手段は夫々独立して送風手段の回転数（風量）を制御できるため、操作部１０を操作して使用者の好みに適した風量で夫々の体の部位に送風を当てることができ、より一層快適になる。
【００８２】
またこの場合、図１５（ｂ）に示すように副吐出口５ｂ（副吐出口５）を設けず、便器装置１に副吸込口４ｂと主送風流路部６ａの主送風手段よりも下流側（図中Ｅ）とを連通接続する副送風流路部６ｂを設けることも好ましい（なおこの場合における吐出口５ａは単に吐出口５と称するものとする）。すなわち便器装置１に便器本体２内部に開口する主吸込口４ａと、便器本体２外部に開口する副吸込口４ｂと、ロータンク３上部付近に位置すると共に便器本体２使用者側に向かって開口する吐出口５と、主吸込口４ａと吐出口５とを連通接続する主送風流路部６ａとを設け、主送風流路部６ａに便器本体２内部の空気を主吸込口４ａより主送風流路部６ａ内に吸い込むと共に吸い込んだ空気を吐出口５から吐出する主送風手段と、主送風流路部６ａ内の空気の脱臭を行う脱臭部とを設け、また便器装置１に副吸込口４ｂと主送風流路部６ａの脱臭部よりも下流側とを連通接続する副送風流路部６ｂを設け、副送風流路部６ｂに便器本体２内部の空気を副吸込口４ｂより副送風流路部６ｂ内に吸い込むと共に吸い込んだ空気を吐出口５から吐出する副送風手段と、副送風流路部６ｂ内の空気を加熱する加熱手段とを設け、便器装置１に使用者側以外の方向に開口する暖房用排気口８と、暖房用排気口８と副送風流路部６ｂの加熱手段及び副送風手段よりも下流側とを連通接続する暖房用流路部９とを設け、暖房用流路部９と副送風流路部６ｂとの分岐点Ａに副吸込口４ｂから吸い込んだ空気を吐出口側５への流れと暖房用排気口８側への流れとに切換えるための暖房用風向き切換え手段を設け、便器装置１に加熱手段のＯＮ／ＯＦＦを切換えると共に暖房用風向き切換え手段による風向きを切換える制御部１０を設け、該制御部１０にて副吸込口４ｂから吸い込んだ空気を暖房用風向き切換え手段により吐出口側への流れにすると共に加熱手段をＯＦＦにした送風と、副吸込口４ｂから吸い込んだ空気を暖房用風向き切換え手段により暖房用排気口８側への流れにすると共に加熱手段をＯＮにした送風とを切換えられるようにした。
【００８３】
このように構成することで、主吸込口４ａと吐出口５とを連通接続する主送風流路部６ａに主送風手段を設け、副吸込口４ｂと主送風流路部６ｂの主送風手段よりも下流側とを連通接続する副送風流路部６ｂに副送風手段を設けることとなり、これによって使用者は主送風手段をＯＮにすることで吐出口５から使用者の体の背側部分に冷たい空気を当てることが可能となり、また副送風手段をＯＮにすることで吐出口５から使用者の体の背側部分に空気を当てることが可能となり、これにより操作パネルにて主送風手段と副送風手段とのＯＮ／ＯＦＦを切り替えるだけで、使用者の好みに合わせた温度の送風を使用者に送ることができる。また主送風手段と副送風手段との両方をＯＮにすることで、２つの送風手段から送られてくる送風を吐出口５から使用者の体に当てることができ、より一層強い風量を使用者に当てることができる。
【００８４】
またこの場合、図１５（ｃ）に示すように吸込口４ｂ（副吸込口）を設けず、便器装置１に副吐出口５ｂと主送風流路部６ａの脱臭部よりも上流側（図中Ｅ参照）とを連通接続する副送風流路部６ｂを設けることも好ましい（なおこの場合における吸込口４ａは単に吸込口４と称するものとする）。すなわち便器装置１に便器本体２内部に開口する吸込口４と、ロータンク３の上部付近に位置すると共に便器本体２使用者側に向かって開口する主吐出口５ａ及び主吐出口５ａと異なる副吐出口５ｂと、吸込口４と主吐出口５ａとを連通接続する主送風流路部６ａとを設け、主送風流路部６ａに便器本体２内部の空気を吸込口４より主送風流路部６ａ内に吸い込むと共に吸い込んだ空気を主吐出口５ａから吐出する主送風手段と、主送風流路部６ａ内の空気の脱臭を行う脱臭部とを設け、また便器装置１に副吐出口５ｂと主送風流路部６ａの脱臭部よりも上流側とを連通接続する副送風流路部６ｂを設け、副送風流路部６ｂに便器本体２内部の空気を吸込口４より副送風流路部６ｂ内に吸い込むと共に吸い込んだ空気を副吐出口５ｂから吐出する副送風手段と、副送風流路部６ｂ内の空気を加熱する加熱手段とを設け、便器装置１に使用者側以外の方向に開口する暖房用排気口８と、副送風流路部６ｂの加熱手段及び副送風手段よりも下流側と暖房用排気口８とを連通接続する暖房用流路部９とを設け、暖房用流路部９と副送風流路部６ｂとの分岐点Ａに吸込口４から吸い込んだ空気を副吐出口５ｂ側への流れと暖房用排気口８側への流れとに切換えるための暖房用風向き切換え手段を設け、便器装置１に加熱手段のＯＮ／ＯＦＦを切換えると共に暖房用風向き切換え手段による風向きを切換える制御部１０とを設け、該制御部１０にて吸込口４から吸い込んだ空気を暖房用風向き切換え手段により副吐出口５ｂ側への流れにすると共に加熱手段をＯＦＦにした送風と、吸込口４から吸い込んだ空気を暖房用風向き切換え手段により暖房用排気口８側への流れにすると共に加熱手段をＯＮにした送風とを切換えられるようにした。
【００８５】
このように構成することで、吸込口４は便器本体２内部に開口しているため副吐出口５ｂからも冷たい空気を吐出することが可能となり、これによって使用者は主送風手段をＯＮにすることで主吐出口５ａから使用者の体の背側部分に冷たい送風を当てることが可能となり、また副送風手段をＯＮにすることで副吐出口５ｂから前記主吐出口５ａから当てられた体の部分とは異なる部分に冷たい空気を当てることが可能となり、また主送風手段と副送風手段との両方をＯＮにすることで使用者の複数の体の背側部分に同時に冷風を当てることができる。また、この場合、両吐出口５ａ、５ｂからの吐出は夫々別々の送風手段によって行われるため、上記第２の実施形態に記した場合と比してより風量の多い風を使用者に送ることができる。
【００８６】
【発明の効果】
上記のように本発明の請求項１記載の発明にあっては、ロータンク上部付近に位置する吐出口を設けたので、使用者は涼感が得られやすい背側の部位に送風を浴びることができる。また特に吸込口を便器本体内部に向かって開口させたので、便器本体に貯えられた水からの伝熱やこの水の気化熱等により冷たくなった空気を使用者に送ることができ、これによって簡単な構成で冷たい空気を使用者に送ることができ、ランニングコストと部材コストの削減することができ、また便器装置の小型化を実現し、トイレルームのスペースを広く確保することができる。
【００８７】
また請求項２記載の発明にあっては、上記請求項１記載の発明の効果に加えて、送風流路部に送風流路部内の空気の脱臭を行う脱臭部を設けることで、便器本体内部から吸い込まれた空気は脱臭部にて脱臭された後、使用者側に吐出されることとなり、これによって使用者側に臭気の無い空気を送ることができ、またこの場合、冷風と同時に脱臭も行われているため、ランニングコストを削減することができる。またこの場合、吸込口と、送風手段と、脱臭部は脱臭装置の部材を転用することができ、若干の変更を加えることで、新たに冷風機能を備えることができ、製造コストの大幅な削減と便器装置の小型化を行うことができ、トイレルーム内のスペースをより一層広く確保することができる。また送風手段によって送風を行っている際は脱臭も同時に行っているため、これによってより一層ランニングコストの削減になる。
【００８８】
また請求項３記載の発明にあっては、ロータンク上部付近に位置する吐出口を設けることで、暖房用風向き切換え手段を吐出口側への流れにすると共に加熱手段をＯＦＦにして送風を行って使用者は涼感を得易い背側に送風を浴びることができ、また暖房用排気口は使用者側以外の方向に向かって開口しているので、暖房用風向き切換え手段を暖房用排気口側への流れにすると共に加熱手段をＯＮにして送風を行うことで、使用者の体に直接熱い空気を当てることなくトイレルームの暖房を行うことができる。またこの場合、吸込口と、送風手段と、加熱手段は暖房装置の部材を転用することができ、若干の変更を加えることで、新たに送風機能を備えることができ、製造コストの大幅な削減と便器装置の小型化を行うことができ、トイレルーム内のスペースを確保することができる。
【００８９】
また請求項４記載の発明にあっては、ロータンク上部付近に位置する主吐出口及び副吐出口を設けることで、使用者は主送風手段によって主吐出口からの涼感を得易い背側に送風を浴びることができ、また暖房用風向き切換え手段により副吐出口側への流れにすると共に加熱手段をＯＦＦにして送風手段により送風を行うことで、使用者は副吐出口から涼感を得易い背側の前記主送風手段によって当てられた体の部分とは異なる部分に送風を浴びることが可能となり、また主送風手段と副送風手段との両方により、主吐出口から使用者の体の背側部分に送風を当てると共に副吐出口から主送風手段によって当てられた使用者の体の部分とは異なる背側部分に送風を当てることが可能となり、これらにより使用者の好みに合わせた送風が得られる。また両吐出口からの吐出は夫々別々の送風手段によって行われるため、より風量の多い風を使用者に送ることができる。またロータンク上部付近に位置する主吐出口及び副吐出口を設けているので、使用者は涼感が得られやすい背側の部位に送風を浴びることができる。特に主吸込口を便器本体内部に向かって開口させたので、便器本体に貯えられた水からの伝熱やこの水の気化熱等により冷たくなった空気を主吐出口から使用者に送ることができ、これにより簡単な構成で冷たい空気を主吐出口から使用者に送ることができ、また主吐出口からの冷風と、副吐出口からの送風とを使用者の好みに合わせて使用することができ、また、ランニングコストと部材コストの削減することができ、便器装置の小型化を実現し、トイレルームのスペースを広く確保することができる。また主送風流路部には脱臭部を設けているため、主吐出口から吐出される空気は脱臭部にて脱臭された後吐出されることとなり、使用者が不快な臭気を感じることがなくなり、またこの便器装置を冷風だけではなく便器本体内の脱臭としても利用することができる。また送風手段によって送風を行っている際は脱臭も同時に行っているため、これによってより一層ランニングコストの削減になる。また暖房用風向き切換え手段により暖房用排気口側への流れにすると共に加熱手段をＯＮにして送風を行うことで、使用者の体に直接熱い空気を当てることなくトイレルームの暖房を行うことができる。またこの場合、主吸込口と、主送風手段と、主送風手段と、脱臭部と、副吸込口と、副送風手段と、加熱手段は、脱臭装置と暖房装置の部材を転用することができ、若干の変更を加えることで、新たに冷風機能と送風機能を備えることができ、製造コストの大幅な削減と便器装置の小型化を行うことができ、トイレルーム内のスペースをより一層広く確保することができる。
【００９０】
また請求項５記載の発明にあっては、上部付近に位置する吐出口を設けることで、使用者は主送風手段によって吐出口から涼感を得易い背側に送風を浴びることが可能となり、また吐出口は使用者側以外の方向に開口しているため、暖房用風向き切換え手段を副吐出口側への流れにすると共に加熱手段をＯＦＦにして送風手段により送風を行うことでも使用者は吐出口から涼感を得易い背側に送風を浴びることが可能となり、また主送風手段と副送風手段との両方によって吐出口から使用者の体に強い送風を当てることが可能となり、これらにより使用者の好みに合わせた送風を行うことができる。また主吸込口を便器本体内部に向かって開口させたので、便器本体に貯えられた水からの伝熱やこの水の気化熱等により冷たくなった空気を主吐出口から使用者に送ることができ、これにより簡単な構成で冷たい空気を主送風手段により使用者に送ることができ、主送風手段による冷風と、副送風手段による送風とを使用者の好みに合わせて使用することができ、またランニングコストと部材コストの削減することができ、便器装置の小型化を実現し、トイレルームのスペースを広く確保することができる。また主送風流路部には脱臭部を設けているため、主吐出口から吐出される空気は脱臭部にて脱臭された後吐出されることとなり使用者が不快な臭気を感じることがなく、またこの便器装置を便器本体内の脱臭としても利用することができる。また送風手段によって送風を行っている際は脱臭も同時に行っているため、これによってより一層ランニングコストの削減になる。また暖房用風向き切換え手段により暖房用排気口側への流れにすると共に加熱手段をＯＮにして送風を行うことで、使用者の体に直接熱い空気を当てることなくトイレルームの暖房を行うことができる。またこの場合、主吸込口と、主送風手段と、主送風手段と、脱臭部と、副吸込口と、副送風手段と、加熱手段は、脱臭装置と暖房装置の部材を転用することができ、若干の変更を加えることで、冷風機能と送風機能を備えることができ、製造コストの大幅な削減と便器装置の小型化を行うことができ、トイレルーム内のスペースをより一層広く確保することができる。
【００９１】
また請求項６記載の発明にあっては、ロータンク上部付近に位置する主吐出口及び副吐出口を設けることで、使用者は主送風手段によって主吐出口からの涼感を得易い背側に送風を浴びることができ、また暖房用風向き切換え手段により副吐出口側への流れにすると共に加熱手段をＯＦＦにして送風手段により送風を行うことで使用者は副吐出口から前記主送風手段によって当てられた体の部分とは異なるに涼感を得易い背側の部分に送風を浴びることが可能となり、また主送風手段と副送風手段との両方によって、両吐出口からの夫々別々の送風手段によって風量の多い風を使用者に送ることができる。またロータンク上部付近に位置する主吐出口及び副吐出口を設けているので、使用者は涼感が得られやすい背側の部位に送風を浴びることができる。また、吸込口を便器本体内部に向かって開口させたので、便器本体に貯えられた水からの伝熱やこの水の気化熱等により冷たくなった空気を主吐出口及び副吐出口から使用者に送ることができ、これにより簡単な構成で使用者に冷風を送ることができ、また、ランニングコストと部材コストの削減することができ、便器装置の小型化を実現し、トイレルームのスペースを広く確保することができる。また主送風流路部には脱臭部を設けているため、主吐出口から吐出される空気は脱臭部にて脱臭された後吐出されることとなり使用者が不快な臭気を感じることがなく、またこの便器装置を便器本体内の脱臭としても利用することができる。また送風手段によって送風を行っている際は脱臭も同時に行っているため、これによってより一層ランニングコストの削減になる。また暖房用排気口は使用者側以外の方向に開口しているため、暖房用風向き切換え手段により暖房用排気口側への流れにすると共に加熱手段をＯＮにして送風を行うことで、使用者の体に直接熱い空気を当てることなくトイレルームの暖房を行うことができる。またこの場合、吸込口と、主送風手段と、脱臭部と、副送風手段と、加熱手段は、脱臭装置と暖房装置の部材を転用することができ、若干の変更を加えることで、新たに冷風機能を備えることができ、製造コストの大幅な削減と便器装置の小型化を行うことができ、トイレルーム内のスペースをより一層広く確保することができる。
【００９２】
また請求項７記載の発明にあっては、上記請求項１〜６のいずれかに記載の発明の効果に加えて、便器装置に一つ以上の分岐口と、吐出口と分岐口の夫々の開閉を行う開閉手段とを設けたので吐出口及び分岐口のうち複数を開にすることで使用者の体の複数の部分に同時に送風を当てることが可能となり、また、吐出口及び分岐口を選択的に開にすることで、使用者の好みの部位に送風を行うことができる。また、使用者の体の一部に風量の多い送風を行ったり、複数の部分に風量の少ない送風を行ったりして、吐出口もしくは分岐口から吐出される風の強さを吐出口及び分岐口を開にした数によって変化させることができる。また一つの送風手段で複数の吐出口から送風を送ることができ、部材コストの削減になる。
【００９３】
また請求項８記載の発明にあっては、上記請求項２及び４〜７のいずれかに記載の発明の効果に加えて、脱臭用排気口を設けることで、使用者側に冷風を送る吐出口からの送風と、使用者側に冷風を送らない脱臭用排気口からの送風とを選択することができ、これによって使用者は脱臭を行いながら冷風を浴びるか否かを選択することができる。また上記の脱臭用排気口は従来例に記した脱臭用排気口を転用することができ、より一層コストの削減になる。
【００９４】
また請求項９記載の発明にあっては、上記請求項１〜８のいずれかに記載の発明の効果に加えて、ロータンク内部の水と送風流路部内の空気とが送風流路部外面を介して熱交換を行うように配設したことで、送風流路部を配設送風流路部内の空気がロータンク内部に貯えられた冷たい水によって冷やされ、これによって使用者はより一層冷たい空気を浴びることができる。
【００９５】
また請求項１０記載の発明にあっては、上記請求項９記載の発明の効果に加えて、送風流路部の外面がロータンクの外面に接するように配設するといった簡単な構成で、送風流路部外面を介してロータンク内部の水と送風流路部内の空気とが熱交換を行うことが可能となり、コストの削減になる。
【００９６】
また請求項１１記載の発明にあっては、上記請求項１０記載の発明の効果に加えて、送風流路部をカバーと貯水タンク部外面との間の隙間に配設しているので、送風流路部がロータンク外部に露出せず、送風流路を設けたにもかかわらず外観を美しく保つことができる。
【００９７】
また請求項１２記載の発明にあっては、上記請求項９記載の発明の効果に加えて、ロータンク内部を通るように送風流路部を配設することで、送風流路部を送風流路部の外面がロータンク内部の水と直接接触させることができ、より一層送風流路部内の水がロータンクの水によって冷やされることとなる。さらにこの場合、送風流路部はロータンク内部を通るように配設されているため、送風流路部がロータンク外部に露出せず、送風流路を設けたにもかかわらず外観を美しく保つことができ、また便器装置外部に新たに送風流路部を配置するためのスペースを必要とせず、より一層トイレルームのスペースが広くなる。
【００９８】
また請求項１３記載の発明にあっては、上記請求項１２記載の発明の効果に加えて、放熱板を設けることで、ロータンク内部の水と送風流路部内の空気との熱交換効率をより一層上げることができ、これにより送風流路部内の空気をより一層冷やすことができる。
【００９９】
また請求項１４記載の発明にあっては、上記請求項１〜８のいずれかに記載の発明の効果に加えて、送風流路部を送風流路部の外面と給水路部の外面とが接するように配設することで、給水路部内の冷えた水によって送風流路部内の空気をより一層冷やすことができる。また給水路部の外面に送風流路部を配設しているため、給水路部の温度低下を防止でき、これによって給水路部からの結露を防止することができる。
【０１００】
また請求項１５記載の発明にあっては、上記請求項１４記載の発明の効果に加えて、給水路部に送風流路部を螺旋状に巻きつけて配設することで、給水路部と送風流路部との接触面積はより一層大きくなり、これによってより一層送風流路部内の空気を冷やすことができる。
【図面の簡単な説明】
【図１】本発明の第１の実施形態の一例を示す便器装置の説明図である。
【図２】同上の外観図を示すものであり、（ａ）は正面図、（ｂ）は側面図である。
【図３】同上の経路及び制御部を示す説明図である。
【図４】同上のロータンク外面に送風流路部を接するように形成した例を示すものであり、（ａ）は正面図、（ｂ）は平面図である。
【図５】図４Ｄ部拡大図である。
【図６】同上のロータンク内部に送風流路部を通した例を示す（ａ）は正面図、（ｂ）は側面図である。
【図７】同上の送風流路部に放熱板を設けた例を示すものであり、（ａ）は一部断面正面図であり、（ｂ）は一部断面側面図である。
【図８】同上の送風流路部を送風流路部の外面と給水路部の外面とが接するように配設した例を示すものであり、（ａ）は一部断面正面図であり、（ｂ）は側面図である。
【図９】第２の実施形態の一例を示す経路及び制御部を示す説明図である。
【図１０】同上の実施形態の一例を示す送風流路部の説明図である。
【図１１】同上の他例を示す送風流路部の説明図である。
【図１２】第３の実施形態の一例を示す便器装置の説明図である。
【図１３】同上の経路及び制御部を示す説明図である。
【図１４】第４の実施形態の一例を示す経路及び制御部を示す説明図である。
【図１５】同上の経路を示す説明図であり、（ａ）は吸込口を二つと吐出口を二つを設けた例であり、（ｂ）は吸込口を二つと吐出口を一つを設けた例であり、（ｃ）は吸込口を一つと吐出口を二つを設けた例である。
【符号の説明】
１　　便器装置
２　　便器本体
３　　ロータンク
４ａ　主吸込口
４ｂ　副吸込口
５ａ　主吐出口
５ｂ　副吐出口
６ａ　主送風流路部
６ｂ　副送風流路部
８　　暖房用排気口
９　　暖房用流路部
１０　制御部
１１　分岐口
１２　分岐流路部
１３　脱臭用排気口
１４　脱臭用流路部
１５　カバー
１６　貯水タンク部
１７　放熱板
１８　給水路部
２２　給水源
２５　送風手段
２６　脱臭部
３０　開閉手段
３３　加熱手段
３５　暖房用風向き切換え手段
【図１】
2004027636.tif 000003
【図２】
2004027636.tif 000004
【図３】
2004027636.tif 000005
【図４】
2004027636.tif 000006
【図５】
2004027636.tif 000007
【図６】
2004027636.tif 000008
【図７】
2004027636.tif 000009
【図８】
2004027636.tif 000010
【図９】
2004027636.tif 000011
【図１０】
2004027636.tif 000012
【図１１】
2004027636.tif 000013
【図１２】
2004027636.tif 000014
【図１３】
2004027636.tif 000015
【図１４】
2004027636.tif 000016
【図１５】
2004027636.tif 000017